(57)【特許請求の範囲】
【請求項１】
互いに対向して配置された１対の透明基板と、各透明基板の対向する面に形成された１対の透明電極と、各透明電極上に形成され互いに直交する配向方向を備える１対の配向膜と、各配向膜に挟持され９０°のねじれ配向を備えるネマチック液晶層と、各透明基板の各透明電極と反対側の面に形成された１対の偏光板と、前記透明基板の一方に形成された偏光板に対向して配置されたバックライトとを備えるネガ型液晶表示素子において、
前記偏光板は青色の透過率が他の色よりも高く、前記液晶層は液晶分子の屈折率異方性Δｎと該液晶層の厚さｄとの積で表されるリターデーション値Δｎｄが２．０４〜２．２６μｍの範囲に設定されており、前記バックライトは４５０ｎｍの波長の光成分を含む白色発光を行い、青色を背景色とすることを特徴とするネガ型液晶表示素子。
【請求項２】
互いに対向して配置された１対の透明基板と、各透明基板の対向する面に形成された１対の透明電極と、各透明電極上に形成され互いに直交する配向方向を備える１対の配向膜と、各配向膜に挟持され９０°のねじれ配向を備えるネマチック液晶層と、各透明基板の各透明電極と反対側の面に形成された１対の偏光板と、前記透明基板の一方に形成された偏光板に対向して配置されたバックライトとを備えるネガ型液晶表示素子において、
前記偏光板は赤色の透過率が他の色よりも高く、前記液晶層は液晶分子の屈折率異方性Δｎと該液晶層の厚さｄとの積で表されるリターデーション値Δｎｄが２．１８〜２．４２μｍの範囲に設定されており、前記バックライトは６５０ｎｍの波長の光成分を含む白色発光を行い、赤色を背景色とすることを特徴とするネガ型液晶表示素子。
【請求項３】
互いに対向して配置された１対の透明基板と、各透明基板の対向する面に形成された１対の透明電極と、各透明電極上に形成され互いに直交する配向方向を備える１対の配向膜と、各配向膜に挟持され９０°のねじれ配向を備えるネマチック液晶層と、各透明基板の各透明電極と反対側の面に形成された１対の偏光板と、前記透明基板の一方に形成された偏光板に対向して配置されたバックライトとを備えるネガ型液晶表示素子において、
前記偏光板は緑色の透過率が他の色よりも高く、前記液晶層は液晶分子の屈折率異方性Δｎと該液晶層の厚さｄとの積で表されるリターデーション値Δｎｄが２．２８〜２．５２μｍの範囲に設定されており、前記バックライトは５５０ｎｍの波長の光成分を含む白色発光を行い、緑色を背景色とすることを特徴とするネガ型液晶表示素子。
【請求項４】
互いに対向して配置された１対の透明基板と、各透明基板の対向する面に形成された１対の透明電極と、各透明電極上に形成され互いに直交する配向方向を備える１対の配向膜と、各配向膜に挟持され９０°のねじれ配向を備えるネマチック液晶層と、各透明基板の各透明電極と反対側の面に形成された１対の偏光板と、前記透明基板の一方に形成された偏光板に対向して配置されたバックライトとを備えるネガ型液晶表示素子において、
前記偏光板はシアンの透過率が他の色よりも高く、前記液晶層は液晶分子の屈折率異方性Δｎと該液晶層の厚さｄとの積で表されるリターデーション値Δｎｄが２．０〜２．２１μｍの範囲に設定されており、前記バックライトは５００ｎｍの波長の光成分を含む白色発光を行い、シアンを背景色とすることを特徴とするネガ型液晶表示素子。
【請求項５】
互いに対向して配置された１対の透明基板と、各透明基板の対向する面に形成された１対の透明電極と、各透明電極上に形成され互いに直交する配向方向を備える１対の配向膜と、各配向膜に挟持され９０°のねじれ配向を備えるネマチック液晶層と、各透明基板の各透明電極と反対側の面に形成された１対の偏光板と、前記透明基板の一方に形成された偏光板に対向して配置されたバックライトとを備えるネガ型液晶表示素子において、
前記偏光板はマゼンタの透過率が他の色よりも高く、前記液晶層は液晶分子の屈折率異方性Δｎと該液晶層の厚さｄとの積で表されるリターデーション値Δｎｄが２．０３〜２．２７μｍの範囲に設定されており、前記バックライトは４５０ｎｍ及び６２０ｎｍの波長の光成分を含む白色発光を行い、マゼンタを背景色とすることを特徴とするネガ型液晶表示素子。
【請求項６】
互いに対向して配置された１対の透明基板と、各透明基板の対向する面に形成された１対の透明電極と、各透明電極上に形成され互いに直交する配向方向を備える１対の配向膜と、各配向膜に挟持され９０°のねじれ配向を備えるネマチック液晶層と、各透明基板の各透明電極と反対側の面に形成された１対の偏光板と、前記透明基板の一方に形成された偏光板に対向して配置されたバックライトとを備えるネガ型液晶表示素子において、
前記偏光板はイエローの透過率が他の色よりも高く、前記液晶層は液晶分子の屈折率異方性Δｎと該液晶層の厚さｄとの積で表されるリターデーション値Δｎｄが１．９〜２．１μｍの範囲に設定されており、前記バックライトは５９０ｎｍの波長の光成分を含む白色発光を行い、イエローを背景色とすることを特徴とするネガ型液晶表示素子。
【発明の詳細な説明】
【技術分野】
【０００１】
本発明は、ネガ型液晶表示素子に関し、さらに詳しくは背景色が有彩色であるネガ型液晶表示素子に関するものである。
【背景技術】
【０００２】
従来、ネガ型液晶表示素子として、互いに対向して配置された１対の透明基板と、各透明基板の対向する面に形成された１対の透明電極と、各透明電極を覆うように各透明基板の対向する面に形成された１対の配向膜と、各配向膜に挟持されたネマチック液晶層とを備えるものが知られている。前記ネガ型液晶表示素子では、前記各透明電極は、例えば、互いに直交する方向にストライプ状に設けられており、平面視したときに互いに交わる部分が画素となるマトリクス電極を形成している。また、前記各配向膜は、互いに直交する配向方向を備えるようにラビング処理が施されており、この結果、前記ネマチック液晶層の液晶分子が９０°のねじれ配向を備えるようになっている。
【０００３】
前記各透明基板の各透明電極と反対側の面には、それぞれ偏光板が配置されており、前記透明基板の一方に配置された偏光板に対向してバックライトが配置されている。
【０００４】
前記ネガ型液晶表示素子では、前記液晶層を挟んで対向する前記透明電極のうち、電圧が印加された部分が白色の表示部分となる一方、該電極のうち電圧が印加されない部分や、該透明電極の対向しない部分が黒色の背景領域となることにより、文字や画像等の表示を行う。このとき、前記文字や画像等の表示のコントラストを良好にするために、前記背景領域は黒色となっていて有彩色による着色の無いことが望ましく、このためリターデーション値Δｎｄを所定の範囲に規制することが行われている。尚、前記リターデーション値Δｎｄは、液晶分子の屈折率異方性Δｎと液晶層の厚さ（セルギャップ）ｄとの積で表される量である。
【０００５】
一般に、前記構成を備える前記ネガ型液晶表示素子では、前記リターデーション値Δｎｄは、いわゆるファーストミニマムにおいては０．６μｍ付近の値に、セカンドミニマムにおいては１．３μｍ付近の値に設定されている。
【０００６】
ところが、前記液晶分子の屈折率異方性Δｎは温度依存性を有し、温度の上昇に従って小さくなることが知られている。そこで、前記リターデーション値Δｎｄを０．６μｍ付近の値または１．３μｍ付近の値に設定した前記ネガ型液晶表示素子では、温度の上昇に伴って、前記背景領域の黒色に赤色の混色が生じるという問題がある。
【０００７】
前記問題を解決するために、前記背景領域が黒色となっている前記ネガ型液晶表示素子において、前記リターデーション値Δｎｄを２．３〜２．５μｍに設定することが提案されている（特許文献１参照）。
【０００８】
一方、前記ネガ型液晶表示素子を自動車等の車両に搭載し、所要の表示を行う場合に、前記背景領域を有彩色とすることが検討されている。前記背景領域を有彩色とするには、例えば、前記偏光板として背景色としようとする特定の有彩色の透過率が他の色よりも高いものを用いると共に、前記バックライトとして前記特定の有彩色に対応する波長の光成分を含む白色発光を行うものを用いる。
【０００９】
しかしながら、自動車等の車室内は非常に高温になる場合があり、この場合には前述のように、温度の上昇に従って前記液晶分子の屈折率異方性Δｎが小さくなり、リターデーション値Δｎｄもまた小さくなるので、前記背景色に前記特定の有彩色以外の他の色が混色し、所要の表示が困難になるという不都合がある。
【特許文献１】特開２００２−１０７７６５号公報
【発明の開示】
【発明が解決しようとする課題】
【００１０】
本発明は、かかる不都合を解消して、特定の有彩色を背景色とすると共に、温度に関わらず所要の表示を確実に行うことができるネガ型液晶表示素子を提供することを目的とする。
【課題を解決するための手段】
【００１１】
かかる目的を達成するために、本発明は、互いに対向して配置された１対の透明基板と、各透明基板の対向する面に形成された１対の透明電極と、各透明電極を覆うように各透明基板の対向する面に形成され互いに直交する配向方向を備える１対の配向膜と、各配向膜に挟持され９０°のねじれ配向を備えるネマチック液晶層と、各透明基板の各透明電極と反対側の面に形成された１対の偏光板と、前記透明基板の一方に配置された偏光板に対向して配置されたバックライトとを備えるネガ型液晶表示素子において、前記偏光板は、特定の有彩色の透過率が他の色よりも高く、前記液晶層は、液晶分子の屈折率異方性Δｎと該液晶層の厚さｄとの積で表されるリターデーション値Δｎｄが１．９〜３．０μｍの範囲に設定され、前記バックライトは前記特定の有彩色に対応する波長の光成分を含む白色発光を行い、前記特定の有彩色を背景色とするものである。
【００１２】
本発明のネガ型液晶表示素子は、前記液晶層を挟んで対向する前記透明電極のうち、電圧が印加された部分では、前記バックライトの白色発光が透過して白色の表示部分となる一方、該電極のうち電圧が印加されない部分や、該透明電極が対向しない部分が背景領域となることにより、文字や画像等の所要の表示を行う。このとき、前記偏光板は、特定の有彩色の透過率が他の色よりも高いので、前記背景領域の色、すなわち背景色を前記特定の有彩色とすることができる。
【００１３】
ここで、本発明のネガ型液晶表示素子によれば、背景色とする特定の有彩色が青色、赤色、緑色、シアン、マゼンタ、イエローのいずれであるかに応じて、リターデーション値Δｎｄが特定の範囲に設定されることにより、温度の上昇に伴ってリターデーション値Δｎｄが小さくなっても、背景色に対する特定の有彩色以外の他の色の混色を抑制して、所要の表示を確実に行うことができる。
【００１４】
本発明のネガ型液晶表示素子では、前記リターデーション値Δｎｄは、前記背景色となる特定の有彩色を具体的に何色にするかによって、さらに特定の範囲が選択される。
【００１５】
例えば、青色を前記背景色とする場合には、前記偏光板は青色の透過率が他の色よりも高く、前記液晶層は前記リターデーション値Δｎｄが２．０４〜２．２６μｍの範囲に設定されており、前記バックライトは４５０ｎｍの波長の光成分を含む白色発光を行うものとする。
【００１６】
また、赤色を前記背景色とする場合には、前記偏光板は赤色の透過率が他の色よりも高く、前記液晶層は前記リターデーション値Δｎｄが２．１８〜２．４２μｍの範囲に設定されており、前記バックライトは６５０ｎｍの波長の光成分を含む白色発光を行うものとする。
【００１７】
また、緑色を前記背景色とする場合には、前記偏光板は緑色の透過率が他の色よりも高く、前記液晶層は前記リターデーション値Δｎｄが２．２８〜２．５２μｍの範囲に設定されており、前記バックライトは５５０ｎｍの波長の光成分を含む白色発光を行うものとする。
【００１８】
また、シアンを前記背景色とする場合には、前記偏光板はシアンの透過率が他の色よりも高く、前記液晶層は前記リターデーション値Δｎｄが２．０〜２．２１μｍの範囲に設定されており、前記バックライトは５００ｎｍの波長の光成分を含む白色発光を行うものとする。
【００１９】
また、マゼンタを前記背景色とする場合には、前記偏光板はマゼンタの透過率が他の色よりも高く、前記液晶層は前記リターデーション値Δｎｄが２．０３〜２．２７μｍの範囲に設定されており、前記バックライトは４５０ｎｍ及び６２０ｎｍの波長の光成分を含む白色発光を行うものとする。
【００２０】
また、イエローを前記背景色とする場合には、前記偏光板はイエローの透過率が他の色よりも高く、前記液晶層は前記リターデーション値Δｎｄが１．９〜２．１μｍの範囲に設定されており、前記バックライトは５９０ｎｍの波長の光成分を含む白色発光を行うものとする。
【発明を実施するための最良の形態】
【００２１】
次に、添付の図面を参照しながら本発明の実施の形態についてさらに詳しく説明する。図１は本実施形態のネガ型液晶表示素子の構成を示す説明的断面図である。図２はリターデーション値Δｎｄと有彩色各色の光の透過率との関係を示すグラフ、図３はリターデーション値Δｎｄと青色の光の透過率との関係を示すグラフ、図４はリターデーション値Δｎｄと赤色の光の透過率との関係を示すグラフ、図５はリターデーション値Δｎｄと緑色の光の透過率との関係を示すグラフ、図６はリターデーション値Δｎｄとシアンの光の透過率との関係を示すグラフ、図７はリターデーション値Δｎｄとマゼンタの光の透過率との関係を示すグラフ、図８はリターデーション値Δｎｄとイエローの光の透過率との関係を示すグラフである。
【００２２】
図１に示すように、本実施形態のネガ型液晶表示素子１は、１対の平行且つ透明なガラス基板２ａ，２ｂと、ガラス基板２ａ，２ｂの相対向する内側面に所定のパターンに設けられた透明電極膜３ａ，３ｂと、透明電極膜３ａ，３ｂの相対向する内側面の表示部に設けられた絶縁膜４ａ，４ｂと、絶縁膜４ａ，４ｂの相対向する内側面に透明電極膜３ａ，３ｂとほぼ同一のパターンで設けられた配向膜５ａ，５ｂとを備える。透明電極膜３ａ，３ｂは、例えばＩＴＯ等により互いに直交する方向にストライプ状に設けられており、平面視したときに互いに交わる部分が画素となるマトリクス電極を形成している。
【００２３】
液晶表示装置１では、ガラス基板２ａ、透明電極膜３ａ、絶縁膜４ａ、配向膜５ａにより上基板６ａが形成されており、ガラス基板２ｂ、透明電極膜３ｂ、絶縁膜４ｂ、配向膜５ｂにより下基板６ｂが形成されている。そして、上下基板６ａ，６ｂ間に形成された液晶層７に、ネマチック液晶分子Ｌが封入されている。
【００２４】
配向膜５ａ，５ｂは、互いに対向する面にラビング処理が施されて、互いに直交する配向方向を備えており、液晶セル７に封入された液晶分子Ｌの捩れ配向が、上下基板６ａ，６ｂ間で９０°になるようにしている。液晶層７は、メインシール剤層８により封止されており、メインシール剤層８の外側面には導通材パターン９が形成されている。
【００２５】
また、一方のガラス基板２ａの外側面には、偏光板１０ａが貼りつけられ、他方のガラス基板２ｂの外側面には、偏光板１０ｂが貼りつけられている。偏光板１０ａ，１０ｂは、特定の有彩色の透過率が他の色よりも高くなっているものであり、前記特定の有彩色は、青色、赤色、緑色、シアン、マゼンタ、イエローから選択される１色である。
なお、本実施形態のネガ型液晶表示素子１は、後述のように、液晶層７を挟んで対向する１対の透明電極３ａ，３ｂのうち電圧が印加された部分が白色の表示部分となる一方、電圧が印加されない部分や該透明電極の対向しない部分が黒色の背景領域となることによって文字や画像等の表示を行うため、１対の偏光板１０ａ，１０ｂの偏光軸は平行である。
【００２６】
ネガ型液晶表示素子１、下基板６ｂ側に、偏光板１０ｂに対向してバックライト１１を備えている。バックライト１１は、例えば、白色発光ダイオード等の白色発光を行う光源であり、該白色発光は前記特定の有彩色に対応する波長の光成分を含んでいる。
【００２７】
そして、ネガ型液晶表示素子１は、液晶分子Ｌの屈折率異方性Δｎと、液晶層７の厚さｄとの積で表されるリターデーション値Δｎｄが２．０〜３．０μｍの範囲に設定されている。
【００２８】
本実施形態のネガ型液晶表示素子１は、透明電極３ａ，３ｂにより形成されるマトリックス電極のうち、電圧が印加された部分では、バックライト１１の白色発光が透過して白色の表示部分となる。一方、透明電極３ａ，３ｂにより形成されるマトリックス電極のうち電圧が印加されない部分や、透明電極３ａ，３ｂが対向していない部分は、背景領域となる。このとき、偏光板１０ａ，１０ｂは、特定の有彩色の透過率が他の色よりも高いので、該特定の有彩色を前記背景領域の色、すなわち背景色とすることができる。
【００２９】
この結果、ネガ型液晶表示素子１では、前記特定の有彩色を背景色として、文字や画像等の所要の表示を行うことができる。また、このとき、ネガ型液晶表示素子１によれば、リターデーション値Δｎｄが前記のように２．０〜３．０μｍの範囲に設定されていることにより、温度の上昇に伴ってリターデーション値Δｎｄが小さくなっても、前記背景色に対する前記特定の有彩色以外の他の色の混色を抑制して、前記所要の表示を確実に行うことができる。
【００３０】
本実施形態のネガ型液晶表示素子１では、前記リターデーション値Δｎｄは、前記背景色となる特定の有彩色を具体的に何色にするかによって、さらに特定の値が選択される。前記リターデーション値Δｎｄは、ネガ型液晶表示素子１の製造時における液晶層７の厚さｄのばらつきを考慮して、前記特定の値±５％に設定される。
【００３１】
図２に、リターデーション値Δｎｄと、青色、赤色、緑色、シアン、マゼンタ、イエローの各有彩色に対応する、４５０ｎｍ、６５０ｎｍ、５５０ｎｍ、５００ｎｍ、６２０ｎｍ、５９０ｎｍの各波長の光の透過率との関係を示す。尚、マゼンタは４５０ｎｍの波長の光と６２０ｎｍの波長の光との混色である。
【００３２】
ネガ型液晶表示素子１は、青色を前記背景色とする場合には、偏光板１０ａ，１０ｂとして青色の透過率が他の色よりも高いものを用いると共に、液晶層７は前記リターデーション値Δｎｄが２．０４〜２．２６μｍの範囲、好ましくは２．１５μｍに設定され、バックライト１１は４５０ｎｍの波長の光成分を含む白色発光を行うものが用いられる。
【００３３】
図３に、リターデーション値Δｎｄと、青色に対応する４５０ｎｍの波長の光の透過率との関係を示す。図２及び図３から、リターデーション値Δｎｄは、前記特定の値として２．１５μｍを選択し、この値±５％の範囲、すなわち２．０４〜２．２６μｍの範囲とすることにより、温度上昇のためにリターデーション値Δｎｄが前記範囲から低減しても、青色に対する他の色の混色を抑制することができることが明らかである。
【００３４】
また、ネガ型液晶表示素子１は、赤色を前記背景色とする場合には、偏光板１０ａ，１０ｂとして赤色の透過率が他の色よりも高いものを用いると共に、液晶層７は前記リターデーション値Δｎｄが２．１８〜２．４２μｍの範囲、好ましくは２．３μｍに設定され、バックライト１１は６５０ｎｍの波長の光成分を含む白色発光を行うものが用いられる。
【００３５】
図４に、リターデーション値Δｎｄと、赤色に対応する６５０ｎｍの波長の光の透過率との関係を示す。図２及び図４から、リターデーション値Δｎｄは、前記特定の値として２．３μｍを選択し、この値±５％の範囲、すなわち２．１８〜２．４２μｍの範囲とすることにより、温度上昇のためにリターデーション値Δｎｄが前記範囲から低減しても、赤色に対する他の色の混色を抑制することができることが明らかである。
【００３６】
また、ネガ型液晶表示素子１は、緑色を前記背景色とする場合には、偏光板１０ａ，１０ｂとして緑色の透過率が他の色よりも高いものを用いると共に、液晶層７は前記リターデーション値Δｎｄが２．２８〜２．５２μｍの範囲、好ましくは２．４μｍに設定され、バックライト１１は５５０ｎｍの波長の光成分を含む白色発光を行うものが用いられる。
【００３７】
図５に、リターデーション値Δｎｄと、緑色に対応する５５０ｎｍの波長の光の透過率との関係を示す。図２及び図５から、リターデーション値Δｎｄは、前記特定の値として２．４μｍを選択し、この値±５％の範囲、すなわち２．２８〜２．５２μｍの範囲とすることにより、温度上昇のためにリターデーション値Δｎｄが前記範囲から低減しても、緑色に対する他の色の混色を抑制することができることが明らかである。
【００３８】
また、ネガ型液晶表示素子１は、シアンを前記背景色とする場合には、偏光板１０ａ，１０ｂとしてシアンの透過率が他の色よりも高いものを用いると共に、液晶層７は前記リターデーション値Δｎｄが２．０〜２．２１μｍの範囲、好ましくは２．１μｍに設定され、バックライト１１は５００ｎｍの波長の光成分を含む白色発光を行うものが用いられる。
【００３９】
図６に、リターデーション値Δｎｄと、シアンに対応する５００ｎｍの波長の光の透過率との関係を示す。図２及び図６から、リターデーション値Δｎｄは、前記特定の値として２．１μｍを選択し、この値±５％の範囲、すなわち２．０〜２．２１μｍの範囲とすることにより、温度上昇のためにリターデーション値Δｎｄが前記範囲から低減しても、シアンに対する他の色の混色を抑制することができることが明らかである。
【００４０】
また、ネガ型液晶表示素子１は、マゼンタを前記背景色とする場合には、偏光板１０ａ，１０ｂとしてマゼンタの透過率が他の色よりも高いものを用いると共に、液晶層７は前記リターデーション値Δｎｄが２．０３〜２．２７μｍの範囲、好ましくは２．１５μｍに設定され、バックライト１１は４５０ｎｍ及び６２０ｎｍの波長の光成分を含む白色発光を行うものが用いられる。
【００４１】
図７に、リターデーション値Δｎｄと、マゼンタに対応する４５０ｎｍ及び６２０ｎｍの波長の光の透過率との関係を示す。図２及び図７から、リターデーション値Δｎｄは、前記特定の値として２．１５μｍを選択し、この値±５％の範囲、すなわち２．０３〜２．２７μｍの範囲とすることにより、温度上昇のためにリターデーション値Δｎｄが前記範囲から低減しても、マゼンタに対する他の色の混色を抑制することができることが明らかである。
【００４２】
また、ネガ型液晶表示素子１は、イエローを前記背景色とする場合には、偏光板１０ａ，１０ｂとしてイエローの透過率が他の色よりも高いものを用いると共に、液晶層７は前記リターデーション値Δｎｄが１．９〜２．１μｍの範囲、好ましくは２．０μｍに設定され、バックライト１１は５９０ｎｍの波長の光成分を含む白色発光を行うものが用いられる。
【００４３】
図８に、リターデーション値Δｎｄと、イエローに対応する５９０ｎｍの波長の光の透過率との関係を示す。図２及び図８から、リターデーション値Δｎｄは、前記特定の値として２．０μｍを選択し、この値±５％の範囲、すなわち１．９〜２．１μｍの範囲とすることにより、温度上昇のためにリターデーション値Δｎｄが前記範囲から低減しても、イエローに対する他の色の混色を抑制することができることが明らかである。
【００４４】
次に、青色を前記背景色とする場合を例として、本実施形態のネガ型液晶表示素子１の作用効果について説明する。
【００４５】
まず、実施例として、偏光板１０ａに株式会社ポラテクノ製ブルーイッシュ偏光板（商品名：Ｖ３２−１８２４０Ｔ）を用いると共に、偏光板１０ｂに株式会社ポラテクノ製ブルーイッシュ偏光板（商品名：ＳＨＣ２３ＵＬ）を用いて、前記背景色が青色のネガ型液晶表示素子１を製造した。本実施例においては、リターデーション値Δｎｄを２．２５μｍに設定した。
【００４６】
次に、本実施例のネガ型液晶表示素子１について、２５℃、４０℃、６０℃、７０℃、８０℃の各温度におけるＬ＊ａ＊ｂ＊色度座標値と、４０℃、６０℃、７０℃、８０℃の各温度における２５℃のときに対する色差ΔＥとを測定した。結果を表１に示す。
【００４７】
次に、比較例として、リターデーション値Δｎｄを０．６μｍに設定した以外は、前記実施例と全く同一にして前記背景色が青色のネガ型液晶表示素子１を製造し、前記実施例と全く同一にして、２５℃、４０℃、６０℃、７０℃、８０℃の各温度におけるＬ＊ａ＊ｂ＊色度座標値と、４０℃、６０℃、７０℃、８０℃の各温度における２５℃のときに対する色差ΔＥとを測定した。結果を表１に示す。
【００４８】
【表１】
0005552208.tif 000002
【００４９】
表１から、リターデーション値Δｎｄを２．２５μｍとした実施例のネガ型液晶表示素子１では、２５℃のときに対する色差ΔＥが８０℃のときにも５．１であるのに対し、リターデーション値Δｎｄを０．６μｍとした比較例のネガ型液晶表示素子１では、２５℃のときに対する色差ΔＥが８０℃のときには３８．７となっていることが明らかである。
【００５０】
従って、前記実施例のネガ型液晶表示素子１によれば、温度に関わらず青色の背景色に対する他の色の混色を抑制することができ、青色を背景色として所要の表示を確実に行うことができることが明らかである。
【００５１】
本実施形態では、青色を前記背景色とする場合について説明したが、赤色、緑色、シアン、マゼンタ、イエローの各色を前記背景色とする場合についても、それぞれ前述の構成とすることにより、青色を前記背景色とする場合と同様の作用効果を奏することができる。
【００５２】
また、本実施形態では、ネガ型液晶表示素子１の透明電極３ａ、３ｂがマトリックス電極を形成するものとして説明しているが、透明電極３ａ、３ｂはセグメント電極を構成するものであってもよい。さらに、本実施形態では、ネガ型液晶表示素子１が、透明電極３ａ、３ｂと配向膜５ａ，５ｂとの間に絶縁層４ａ，４ｂを備えるものとして説明しているが、絶縁層４ａ，４ｂは無くてもよい。
【図面の簡単な説明】
【００５３】
【図１】本発明のネガ型液晶表示素子の一構成例を示す説明的断面図。
【図２】リターデーション値Δｎｄと有彩色各色の光の透過率との関係を示すグラフ。
【図３】リターデーション値Δｎｄと青色の光の透過率との関係を示すグラフ。
【図４】リターデーション値Δｎｄと赤色の光の透過率との関係を示すグラフ。
【図５】リターデーション値Δｎｄと緑色の光の透過率との関係を示すグラフ。
【図６】リターデーション値Δｎｄとシアンの光の透過率との関係を示すグラフ。
【図７】リターデーション値Δｎｄとマゼンタの光の透過率との関係を示すグラフ。
【図８】リターデーション値Δｎｄとイエローの光の透過率との関係を示すグラフ。
【符号の説明】
【００５４】
１…ネガ型液晶表示素子、  ２ａ，２ｂ…透明基板、  ３ａ，３ｂ…透明電極、  ５ａ，５ｂ…配向膜、  ７…ネマチック液晶層、  １０ａ，１０ｂ…偏光板、  １１…バックライト、  Ｌ…液晶分子。
【図１】
0005552208.tif 000003
【図２】
0005552208.tif 000004
【図３】
0005552208.tif 000005
【図４】
0005552208.tif 000006
【図５】
0005552208.tif 000007
【図６】
0005552208.tif 000008
【図７】
0005552208.tif 000009
【図８】
0005552208.tif 000010